【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
埋め込まれた股関節内補綴物（１６）の人工関節ステム（１４）を患者の大腿骨から引き抜くための医療器具（１２）を含む股関節内補綴物システム（１０）であって、
前記医療器具（１２）が、前記人工関節ステム（１４）から突き出す連結錐体（３８）を収容するための連結凹部（５０）を備えた連結体（４８）を有し、
前記連結体（４８）が、連結基体（５２）と、前記連結基体（５２）の連結挿入部受け（５４）内に収容されて前記連結凹部（５０）を規定する連結挿入部（５６）とを含み、
前記医療器具（１２）が、前記連結挿入部（５６）と前記連結基体（５２）とを接続位置において力ロック式及び／又はポジティブロック式のやり方で接続するための接続装置（１０６）を含む、
股関節内補綴物システムにおいて、
前記接続装置（１０６）が、掛止式又はスナップ式接続装置（１０８）の形態に構成されること、
を特徴とする股関節内補綴物システム。
【請求項２】
請求項１に記載の股関節内補綴物システムであって、前記連結基体（５２）が、前記連結挿入部（５６）よりも硬質の金属から形成されること、を特徴とする股関節内補綴物システム。
【請求項３】
請求項１〜２のいずれか１項に記載の股関節内補綴物システムであって、
ａ）前記連結基体（５２）が、金属から形成されること、
又は
前記連結基体（５２）が、金属、即ち器具スチールから形成されること、
及び／又は
ｂ）前記連結挿入部（５６）が、プラスチックから形成されること、
又は
前記連結挿入部（５６）が、プラスチック、即ちポリエーテルエーテルケトン（ＰＥＥＫ）、及び／又はポリプロピレン（ＰＰ）、及び／又はポリフェニレンスルホン（ＰＰＳＵ）から形成されること、
及び／又は
ｃ）前記医療器具（１２）が、器具ハンドル（１８）に連結するための少なくとも１つの第１連結要素（６０）を含むこと、
又は
前記医療器具（１２）が、器具ハンドル（１８）に連結するための少なくとも１つの第１連結要素（６０）を含むこと、及び、前記第１連結要素（６０）が、連結突起（６２）の形態に構成されること、
を特徴とする股関節内補綴物システム。
【請求項４】
請求項１〜３のいずれか１項に記載の股関節内補綴物システムであって、
ａ）前記医療器具（１２）が、器具ハンドル（１８）を含むこと、
又は
ｂ）前記医療器具（１２）が、やすりハンドル（２０）の形態に構成される器具ハンドル（１８）を含むこと、
又は
ｃ）前記医療器具（１２）が、器具ハンドル（１８）を含むこと、前記器具ハンドル（１８）が、打撃面（２４）を備えた打撃体（２２）を含むこと、及び、前記打撃体（２２）が、前記器具ハンドル（１８）の近位端に配置又は形成される、或いは、前記器具ハンドル（１８）の前記近位端を形成すること、
又は
ｄ）前記医療器具（１２）が、やすりハンドル（２０）の形態に構成される器具ハンドル（１８）を含むこと、前記器具ハンドル（１８）が、打撃面（２４）を備えた打撃体（２２）を含むこと、及び、前記打撃体（２２）が、前記器具ハンドル（１８）の近位端に配置又は形成される、或いは、前記器具ハンドル（１８）の前記近位端を形成すること、
を特徴とする股関節内補綴物システム。
【請求項５】
請求項４に記載の股関節内補綴物システムであって、
ａ）前記器具ハンドル（１８）が、前記少なくとも１つの第１連結要素（６０）と連結位置において力ロック式及び／又はポジティブロック式のやり方で係合させるための少なくとも１つの第２連結要素（６８）を含むこと、
又は
ｂ）前記器具ハンドル（１８）が、前記少なくとも１つの第１連結要素（６０）と連結位置において力ロック式及び／又はポジティブロック式のやり方で係合させるための少なくとも１つの第２連結要素（６８）を含むこと、並びに
ｂ１）前記少なくとも１つの第２連結要素（６８）が、前記少なくとも１つの第１連結要素（６０）を収容するための連結要素受け（７０）の形態に構成されること、
及び／又は
ｂ２）前記少なくとも１つの第２連結要素（６８）が、前記器具ハンドル（１８）の遠位端（２８）に配置又は形成される、或いは、前記器具ハンドル（１８）の前記遠位端（２８）を形成すること、
を特徴とする股関節内補綴物システム。
【請求項６】
請求項１〜５のいずれか１項に記載の股関節内補綴物システムであって、前記連結凹部（５０）が、前記連結錐体（３８）を力ロック式及び／又はポジティブロック式のやり方で収容するように構成されること、を特徴とする股関節内補綴物システム。
【請求項７】
請求項１〜６のいずれか１項に記載の股関節内補綴物システムであって、
ａ）前記連結凹部（５０）が、前記連結錐体（３８）により規定される長手方向軸（８２）に対して交差方向に走る挿入方向（８０）において前記連結錐体（３８）を前記連結凹部（５０）内へ挿入するための側方挿入開口（７８）を有すること、
又は
ｂ）前記連結凹部（５０）が、前記連結錐体（３８）により規定される長手方向軸（８２）に対して交差方向に、即ち垂直に走る挿入方向（８０）において前記連結錐体（３８）を前記連結凹部（５０）内へ挿入するための側方挿入開口（７８）を有すること、
又は
ｃ）前記連結凹部（５０）が、前記連結錐体（３８）により規定される長手方向軸（８２）に対して交差方向に走る挿入方向（８０）において前記連結錐体（３８）を前記連結凹部（５０）内へ挿入するための側方挿入開口（７８）を有すること、並びに
ｃ１）前記連結凹部（５０）が、前記挿入開口（８０）に対して交差方向に開放している下方挿入開口（８４）を有すること、
又は
前記連結凹部（５０）が、前記挿入開口（８０）に対して交差方向に、即ち垂直な方向に開放している下方挿入開口（８４）を有すること、
又は
前記連結凹部（５０）が、前記挿入開口（８０）に対して交差方向に開放している下方挿入開口（８４）を有すること、及び、前記連結挿入部（５６）が前記連結挿入部受け（５４）内に挿入される際に、前記側方挿入開口（７８）及び前記下方挿入開口（８４）が自由にアクセス可能であるような仕方で、前記連結基体（５２）が前記連結挿入部（５６）を包囲すること、
又は
前記連結凹部（５０）が、前記挿入開口（８０）に対して交差方向に、即ち垂直な方向に開放している下方挿入開口（８４）を有すること、及び、前記連結挿入部（５６）が前記連結挿入部受け（５４）内に挿入される際に、前記側方挿入開口（７８）及び前記下方挿入開口（８４）が自由にアクセス可能であるような仕方で、前記連結基体（５２）が前記連結挿入部（５６）を包囲すること、
及び／又は
ｃ２）前記連結挿入部（５６）が、前記側方挿入開口（７８）及び／又は前記下方挿入開口（８４）を画定する縁部又は移行領域を規定すること、
又は
ｄ）前記連結凹部（５０）が、前記連結錐体（３８）により規定される長手方向軸（８２）に対して交差方向に、即ち垂直に走る挿入方向（８０）において前記連結錐体（３８）を前記連結凹部（５０）内へ挿入するための側方挿入開口（７８）を有すること、並びに
ｄ１）前記連結凹部（５０）が、前記挿入開口（８０）に対して交差方向に開放している下方挿入開口（８４）を有すること、
又は
前記連結凹部（５０）が、前記挿入開口（８０）に対して交差方向に、即ち垂直な方向に開放している下方挿入開口（８４）を有すること、
又は
前記連結凹部（５０）が、前記挿入開口（８０）に対して交差方向に開放している下方挿入開口（８４）を有すること、及び、前記連結挿入部（５６）が前記連結挿入部受け（５４）内に挿入される際に、前記側方挿入開口（７８）及び前記下方挿入開口（８４）が自由にアクセス可能であるような仕方で、前記連結基体（５２）が前記連結挿入部（５６）を包囲すること、
又は
前記連結凹部（５０）が、前記挿入開口（８０）に対して交差方向に、即ち垂直な方向に開放している下方挿入開口（８４）を有すること、及び、前記連結挿入部（５６）が前記連結挿入部受け（５４）内に挿入される際に、前記側方挿入開口（７８）及び前記下方挿入開口（８４）が自由にアクセス可能であるような仕方で、前記連結基体（５２）が前記連結挿入部（５６）を包囲すること、
及び／又は
ｄ２）前記連結挿入部（５６）が、前記側方挿入開口（７８）及び／又は前記下方挿入開口（８４）を画定する縁部又は移行領域を規定すること、
を特徴とする股関節内補綴物システム。
【請求項８】
請求項１〜７のいずれか１項に記載の股関節内補綴物システムであって、
ａ）前記連結凹部（５０）が、内側錐体（９２）の形態を少なくとも一部で有する内輪郭（９０）を有すること、
又は
ｂ）前記連結凹部（５０）が、内側錐体（９２）の形態を少なくとも一部で有する内輪郭（９０）を有すること、並びに
ｂ１）前記内側錐体（９２）が、前記下方挿入開口（８４）を通過する長手方向錐体軸を規定すること、
及び／又は
ｂ２）前記内側錐体（９２）の断面が、前記下方挿入開口（８４）への方向において増加すること、
及び／又は
ｂ３）断面狭小部（９６）が、前記内側錐体（９２）と前記下方挿入開口（８４）との間に形成されること、
を特徴とする股関節内補綴物システム。
【請求項９】
請求項１〜８のいずれか１項に記載の股関節内補綴物システムであって、前記連結挿入部受け（５４）が、側方連結挿入部受け開口（９８）及び下方連結挿入部受け開口（１００）を有すること、を特徴とする股関節内補綴物システム。
【請求項１０】
請求項９に記載の股関節内補綴物システムであって、
ａ）前記側方連結挿入部受け開口（９８）が、前記連結挿入部受け（５４）内に前記連結挿入部（５６）が挿入されるように構成されること、
及び／又は
ｂ）前記連結挿入部受け（５４）が、前記連結挿入部受け（５４）の自由断面を前記下方連結挿入部受け開口（１００）への方向において縮小することにより形成されるアンダカット（１０２）を有すること、
及び／又は
ｃ）前記第１連結要素（６０）が前記連結基体（５２）上に、前記下方連結挿入部受け開口（１００）と逆に又はほぼ逆に向くような仕方で配置されること、
を特徴とする股関節内補綴物システム。
【請求項１１】
請求項１〜１０のいずれか１項に記載の股関節内補綴物システムであって、前記連結挿入部（５６）が、前記連結挿入部受け（５４）内で、力ロック式及び／又はポジティブロック式のやり方で保持されること、を特徴とする股関節内補綴物システム。
【請求項１２】
請求項１〜１１のいずれか１項に記載の股関節内補綴物システムであって、
ａ）前記接続装置（１０６）が、一方で前記連結挿入部（５６）上に、他方で前記連結基体（５２）上に形成される第１及び第２接続要素（１１０、１１２）を含むこと、及び、前記第１接続要素と前記第２接続要素とが、前記接続位置において力ロック式及び／又はポジティブロック式のやり方で係合していること、
又は
ｂ）前記接続装置（１０６）が、一方で前記連結挿入部（５６）上に、他方で前記連結基体（５２）上に形成される第１及び第２接続要素（１１０、１１２）を含むこと、及び、前記第１接続要素と前記第２接続要素とが、前記接続位置において力ロック式及び／又はポジティブロック式のやり方で係合していること、並びに
ｂ１）前記第１接続要素（１１０）が、接続要素凹部（１１４）の形態に構成されること、及び、前記第２接続要素（１１２）が、接続突起（１１６）の形態に構成されること、
及び／又は
ｂ２）前記第１接続要素（１１０）及び／又は前記第２接続要素（１１２）が、前記側方連結挿入部受け開口（９８）及び／又は前記側方挿入開口（７８）と平行に又は略平行に延びること、
及び／又は
ｂ３）前記連結基体（５２）上で前記連結挿入部受け（５４）内に形成される前記接続要素（１１０）が、前記下方連結挿入部受け開口（１１０）への方向を向くように配置又は形成されること、
を特徴とする股関節内補綴物システム。
【請求項１３】
請求項１〜１２のいずれか１項に記載の股関節内補綴物システムであって、
ａ）前記股関節内補綴物システムが、前記連結挿入部（５６）を前記連結基体（５２）の前記連結挿入部受け（５４）から解放するための解放器具（１２０）を含むこと、
又は
ｂ）前記股関節内補綴物システムが、前記連結挿入部（５６）を前記連結基体（５２）の前記連結挿入部受け（５４）から解放するための解放器具（１２０）を含むこと、前記解放器具（１２０）が、解放部材（１２２）を含むこと、前記連結基体（５２）が、解放部材開口（１２４）を含むこと、及び、前記解放部材（１２２）が、前記解放部材開口（１２４）の領域において前記連結基体（５２）の厚さ（１２８）よりも大きい長さ（１２６）を有すること、
を特徴とする股関節内補綴物システム。
【請求項１４】
請求項１〜１２のいずれか１項に記載の股関節内補綴物システムであって、
前記股関節内補綴物システムが、前記連結挿入部（５６）を前記連結基体（５２）の前記連結挿入部受け（５４）から解放するための解放器具（１２０）を含むこと、前記解放器具（１２０）が、解放部材（１２２）を含むこと、前記連結基体（５２）が、解放部材開口（１２４）を含むこと、及び、前記解放部材（１２２）が、前記解放部材開口（１２４）の領域において前記連結基体（５２）の厚さ（１２８）よりも大きい長さ（１２６）を有すること、並びに
ａ）前記解放部材開口（１２４）が、前記側方連結挿入部受け開口（９８）の反対側に配置又は形成されること、
及び／又は
ｂ）前記解放部材（１２２）が、前記解放器具から突出する解放ピン（１３０）の形態に構成されること、
及び／又は
ｃ）前記解放部材（１２２）が雄ねじを備えること、及び、前記解放部材開口（１２４）が、前記雄ねじに対応する雌ねじを備えること、
を特徴とする股関節内補綴物システム。
【請求項１５】
請求項１〜１４のいずれか１項に記載の股関節内補綴物システムであって、前記股関節内補綴物システムが、股関節内補綴物（１６）の人工関節ステム（１４）を含み、該人工関節ステム（１４）が、突出する連結錐体（３８）を有すること、特徴とする股関節内補綴物システム。